(57)【要約】【課題】  装飾体の動きを円滑にするべく合理的に構成された装飾体の駆動装置を提供すること【解決手段】  装飾体１００を支持する軸体２００は、シャフト２１０と、シャフトを挿通するとともにシャフトに固定された第１円筒部材２２０と、シャフトを挿通するとともにシャフトに対して回転可能に装着された第２円筒部材２３０と、第１円筒部材及び第２円筒部材の外周に装着されるとともに第１円筒部材及び第２円筒部材にそれぞれ端部を固定されたコイルばね２４０とを備え、第２円筒部材には、シャフトを回転軸とするギア部２３１を設け、ギア部に伝達された動力が、コイルばねを介してシャフトに伝達されるようにした。また、軸体は、ストッパ部材２５０を備え、ストッパ部材が第２円筒部材に設けた凸部２３２に突き当たることにより、シャフトに対する第２円筒部材の回転量が規制されるようにした。【選択図】図１
2010230487.tif 000002
【特許請求の範囲】
【請求項１】
装飾体を支持する軸体を備え、前記軸体を回転することにより前記装飾体を回転する駆動装置において、
前記軸体は、回転可能に支持されたシャフトと、前記シャフトを挿通するとともに前記シャフトに固定された第１円筒部材と、前記シャフトを挿通するとともに前記シャフトに対して回転可能に装着された第２円筒部材と、前記第１円筒部材及び前記第２円筒部材の外周に装着されるとともに前記第１円筒部材及び前記第２円筒部材にそれぞれ端部を固定されたコイルばねとを備え、
前記第２円筒部材には、前記シャフトを回転軸とするギア部を設け、
前記装飾体は、前記シャフトに支持し、
前記ギア部に伝達された動力が、前記コイルばねを介して前記シャフトに伝達されるようにしたことを特徴とする装飾体の駆動装置。
【請求項２】
前記軸体は、前記シャフトを挿通するとともに前記シャフトに固定されたストッパ部材を備え、
前記第２円筒部材は、前記第１円筒部材と前記ストッパ部材との間に装着されるものとし、
前記第２円筒部材には、前記ストッパ部材側に突出する凸部を設け、
前記シャフトに対して前記第２円筒部材が回転すると前記ストッパ部材が前記凸部に突き当たることにより、前記シャフトに対する前記第２円筒部材の回転量が規制されるようにしたことを特徴とする請求項１記載の装飾体の駆動装置。
【請求項３】
前記シャフトを金属製の部材とするとともに、前記第１円筒部材、前記第２円筒部材、及び前記ストッパ部材を樹脂製の部材とし、
前記シャフトには、前記第１円筒部材を位置決めする第１段部と、前記ストッパ部材を位置決めする第２段部とを設け、
前記第１円筒部材及び前記ストッパ部材は、それぞれ前記第１段部及び前記第２段部にて位置決めされるとともに、前記シャフトを圧入した状態で前記シャフトに固定されたことを特徴とする請求項２記載の装飾体の駆動装置。
【発明の詳細な説明】
【技術分野】
【０００１】
本発明は、装飾体を回転する駆動装置に関する。
【背景技術】
【０００２】
壁掛け時計や置き時計としては、装飾体を定常的に又は所定のタイミングで駆動する駆動装置を備えたものがある。装飾体を回転する駆動装置は、装飾体を支持するシャフトを軸受に支持し、このシャフトをモータ等の駆動手段にて回転するものが一般的である。装飾体の駆動装置は、特許文献１にも開示されている。
【先行技術文献】
【特許文献】
【０００３】
【特許文献１】特許第３７３４４５１号明細書
【発明の概要】
【発明が解決しようとする課題】
【０００４】
一般に、この種の駆動装置については、構成部品の寸法精度や組立て精度の観点から、駆動手段と飾り体とをシャフト１本で直結するのは好ましくないとされている。つまり、動力の伝達を良好に確保するには、駆動手段たるモータと装飾体との間に多少の遊びが必要となる。実際には、シャフトとモータとの間には歯車、カップリング、カム等の剛体要素が介在され、それらの間のクリアランスによって若干の遊びが設定されている。
【０００５】
しかしながら、このような遊びは、構成部品の寸法精度や組立て精度の許容性を向上する一方で、飾り体の挙動に悪影響をもたらす原因となる場合がある。例えば、遊びと装飾体の自重との微妙なアンバランスによって、装飾体に動力が伝達され得ないフリーの状態となる瞬間が生じることもあり、これが回転斑を生じる原因となる。
【０００６】
前述した特許文献１の駆動装置は、回転斑を解消又は低減する方法として、シャフトと軸受との摩擦抵抗を調整するものとなっている。但し、その摩擦抵抗が過剰であると、動力伝達性や耐久性の面で弊害を伴うことになる。
【０００７】
装飾体を観賞する者は、回転斑を認識してしまうと、たとえそれが僅かであったとしても、興醒めしてしまう傾向にある。故に、駆動装置の製造現場においては、製造の容易化とともに、装飾体の回転斑をより確実に低減するための構造的工夫が求められている。
【０００８】
本発明は、かかる事情に鑑みてなされたものであり、その目的は、装飾体の動きを円滑にするべく合理的に構成された装飾体の駆動装置を提供することである。
【課題を解決するための手段】
【０００９】
本願第１請求項に記載した発明は、装飾体を支持する軸体を備え、前記軸体を回転することにより前記装飾体を回転する駆動装置において、前記軸体は、回転可能に支持されたシャフトと、前記シャフトを挿通するとともに前記シャフトに固定された第１円筒部材と、前記シャフトを挿通するとともに前記シャフトに対して回転可能に装着された第２円筒部材と、前記第１円筒部材及び前記第２円筒部材の外周に装着されるとともに前記第１円筒部材及び前記第２円筒部材にそれぞれ端部を固定されたコイルばねとを備え、前記第２円筒部材には、前記シャフトを回転軸とするギア部を設け、前記装飾体は、前記シャフトに支持し、前記ギア部に伝達された動力が、前記コイルばねを介して前記シャフトに伝達されるようにした構成の装飾体の駆動装置である。
【００１０】
本願第２請求項に記載した発明は、請求項１において、前記軸体は、前記シャフトを挿通するとともに前記シャフトに固定されたストッパ部材を備え、前記第２円筒部材は、前記第１円筒部材と前記ストッパ部材との間に装着されるものとし、前記第２円筒部材には、前記ストッパ部材側に突出する凸部を設け、前記シャフトに対して前記第２円筒部材が回転すると前記ストッパ部材が前記凸部に突き当たることにより、前記シャフトに対する前記第２円筒部材の回転量が規制されるようにした構成の装飾体の駆動装置である。
【００１１】
本願第３請求項に記載した発明は、請求項２において、前記シャフトを金属製の部材とするとともに、前記第１円筒部材、前記第２円筒部材、及び前記ストッパ部材を樹脂製の部材とし、前記シャフトには、前記第１円筒部材を位置決めする第１段部と、前記ストッパ部材を位置決めする第２段部とを設け、前記第１円筒部材及び前記ストッパ部材は、それぞれ前記第１段部及び前記第２段部にて位置決めされるとともに、前記シャフトを圧入した状態で前記シャフトに固定された構成の装飾体の駆動装置である。
【発明の効果】
【００１２】
本発明によれば、装飾体の動きを円滑にするべく合理的に構成された装飾体の駆動装置を得ることができる。
【図面の簡単な説明】
【００１３】
【図１】本発明の実施例に係り、回転飾り装置を示す側面断面図である。
【図２】本発明の実施例に係り、（ａ）は軸体を示す側面図、（ｂ）は（ａ）の下面図である。
【図３】本発明の実施例に係り、軸体を示す側面分解断面図である。
【発明を実施するための形態】
【００１４】
以下に、本発明の実施例を図面に基づいて説明する。図１乃至図３に示す装飾体の駆動装置は、装飾体１００を支持する軸体２００を備え、軸体２００を回転することにより装飾体１００を回転するものである。
【００１５】
この軸体２００は、筐体３００の内部に回転可能に支持されたシャフト２１０と、シャフト２１０を挿通するとともにシャフト２１０に固定された第１円筒部材２２０と、シャフト２１０を挿通するとともにシャフト２１０に対して回転可能に装着された第２円筒部材２３０と、第１円筒部材２２０及び第２円筒部材２３０の外周に装着されるとともに第１円筒部材２２０及び第２円筒部材２３０にそれぞれ端部を固定されたコイルばね２４０と、シャフト２１０を挿通するとともにシャフト２１０に固定されたストッパ部材２５０とを備えている。
【００１６】
装飾体１００は、円板型のものであり、筐体３００の外部に突出したシャフト２１０の先端部にその中心を支持されている。また、第２円筒部材２３０には、シャフト２１０を回転軸とするギア部２３１を設けており、ギア部２３１に伝達された動力が、コイルばね２４０を介してシャフト２１０に伝達される構成となっている。
【００１７】
シャフト２１０に対して第２円筒部材２３０が一方に回転するとコイルばね２４０が絞まり、他方に回転するとコイルばねが緩む。コイルばね２４０の弾性力によって、観賞する者が回転斑を認識し得ない程度に装飾体１００の動きが円滑となる。
【００１８】
ギア部２３１は、筐体３００の内部に配置された歯車４００と噛合されており、この歯車４００を介して不図示のモータから動力が伝達される構成となっている。
【００１９】
本例では、シャフト２１０を金属製の部材とするとともに、第１円筒部材２２０、第２円筒部材２３０、及びストッパ部材２５０を樹脂製の部材としている。シャフト２１０は、円柱形の金属素材に旋削加工を施してなるものである。第１円筒部材２２０、第２円筒部材２３０、及びストッパ部材２５０は、それぞれ所定の形状に成形された射出成形部材である。
【００２０】
シャフト２１０には、第１円筒部材２２０を位置決めする第１段部２１１と、ストッパ部材２５０を位置決めする第２段部２１２とを設けている。第１円筒部材２２０は、第１段部２１１にて位置決めされるとともに、シャフト２１０を圧入した状態でシャフト２１０に固定されている。ストッパ部材２５０は、第２段部２１２にて位置決めされるとともに、シャフト２１０を圧入した状態でシャフト２１０に固定されている。第２円筒部材２３０は、第１円筒部材２２０とストッパ部材２５０との間に装着されている。
【００２１】
また、第１円筒部材２２０及び第２円筒部材２３０の要所には、コイルばね２４０の端部を差し込んで固定する溝状又は孔状のコイルばね固定部２２０ａ，２３０ａをそれぞれ設けている。
【００２２】
更に本例の場合、第２円筒部材２３０には、ストッパ部材２５０側に突出する凸部２３２を設けている。シャフト２１０に対して第２円筒部材２３０が回転するとストッパ部材２５０が凸部２３２に突き当たることにより、シャフト２１０に対する第２円筒部材２３０の回転量が規制される。コイルばね２４０を保護するための工夫である。
【００２３】
軸体２００の組み付けは、次の通りである。シャフト２１０の基端部側から第１円筒部材２２０を設け、次に、コイルばね２４０を位置決めしつつ第２円筒部材２３０を設ける。そして、この状態でストッパ部材２５０を設けて第２円筒部材２３０を抜け止めする。組み付けが容易であるうえに、組み付けた後はこれを１つの部品として扱うことができるので、製造上便利である。
【００２４】
以上説明したように、本例の装飾体の駆動装置は、その製造製を踏まえつつ装飾体の動きを円滑にするべく極めて合理的に構成されたものである。尚、本例における各部の構成は、特許請求の範囲に記載した技術的範囲において適宜に設計変更が可能であり、図例説明したものに限定されないことは勿論である。
【産業上の利用可能性】
【００２５】
本発明の装飾体の駆動装置は、壁掛け時計や置き時計を装飾する装置として好適に利用することが可能である。
【符号の説明】
【００２６】
１    装飾体の駆動装置
１００    装飾体
２００    軸体
２１０    シャフト
２１１    第１段部
２１２    第２段部
２２０    第１円筒部材
２２０ａ    コイルばね固定部
２３０    第２円筒部材
２３０ａ    コイルばね固定部
２３１    ギア部
２３２    凸部
２４０    コイルばね
２５０    ストッパ部材
３００    筐体
４００    歯車
【図１】
2010230487.tif 000003
【図２】
2010230487.tif 000004
【図３】
2010230487.tif 000005